(57)【要約】【課題】長手方向に沿い所定の明るさを確保し易い配光を有する照明器具および非常灯を提供する。【解決手段】半導体発光素子１１と、主配光Ａと補助配光Ｂとに分離した状態で出射面から出射されるように形成されるレンズ体１２からなる光源部１３と；光源部の補助配光が主配光に重畳するように反射させ主配光を光軸方向に延長させる反射体１４からなる第１発光部１５と；光源部の補助配光の一部を他方の補助配光側に反射させる反射体１６からなる第２発光部１７と；第１発光部および第２発光部を照射面の長手方向に対して少なくとも第１発光部の主配光が第２発光部の主配光よりも外側に位置するように配設した器具本体１８と；半導体発光素子を点灯させる点灯装置２０と；を具備する照明器具を構成する。【選択図】        図１
2009104913.tif 000002
【特許請求の範囲】
【請求項１】
半導体発光素子と、入射面および出射面を有し、入射面に入射する半導体発光素子の放射光を、光軸方向に沿う主配光と主配光とは異なる方向に光度ピークを有する補助配光とに分離した状態で出射面から出射されるように形成されるレンズ体からなる光源部と；
前記光源部と、光源部の補助配光が主配光に重畳するように反射させ主配光を光軸方向に延長させる反射体からなる第１発光部と；
前記光源部と、光源部の補助配光の一部を他方の補助配光側に反射させる反射体からなる第２発光部と；
開口部を有し、この開口部に第１発光部および第２発光部を略直線状に配置し、照射面の長手方向に対して少なくとも第１発光部の主配光が第２発光部の主配光よりも外側に位置するように配設した器具本体と；
前記半導体発光素子を点灯させる点灯装置と；
を具備することを特徴とする照明器具。
【請求項２】
前記第２発光部は、器具本体の開口部の略中央部に鉛直線を中心にして左右に所定の角度を有して配置し、第１発光部は、第２発光部の両側に対して器具本体の開口部の外側に配置し、かつ鉛直線に対し左右に所定の角度を有して配置したことを特徴とする請求項１記載の照明器具。
【請求項３】
前記開口部の開口面に沿って透過性カバーを有し、前記透過性カバーと、前記第１、第２発光部の光軸とが３０°〜９０°の角度を有して配置したことを特徴とする請求項１または２記載の照明器具。
【請求項４】
請求項１ないし３いずれか一記載の照明器具と；
器具本体に収容されたバッテリと；
停電時に、バッテリからの直流電圧が入力されて半導体発光素子を点灯させる非常用点灯装置と；
を具備することを特徴とする非常灯。
【発明の詳細な説明】
【技術分野】
【０００１】
本発明は、発光ダイオード等の半導体発光素子を光源とした照明器具および非常灯に関する。
【背景技術】
【０００２】
この種の照明器具、特にダウンライトや非常灯などにおいては、発光ダイオードから放射された光が所定の方向に照射されるようにレンズ等の光制御体を備えた照明器具が提案されている。例えば、特許文献１には、３個の直線上に配設されている発光ダイオードと、比較的広角の配光が得られるように形成されている第１および第２のレンズと、比較的狭角の配光が得られる第３のレンズにより、照度むらを抑制して広範囲を照明するＬＥＤ照明器具およびＬＥＤ非常灯が提案されている。この従来技術は、第１および第２のレンズにより、それぞれ比較的広角の配光で照明し、第３のレンズにより、第１および第２のレンズのそれぞれの光軸の延長線間で比較的狭角の配光で照明することにより、器具本体から出射される照明光により照明される領域を広くすることができ、照明領域を略一定の明るさにできるというものである。
【０００３】
また、特許文献２には、それぞれ入射端が凹面、出射端が略平面、側面の中間部が太い形状の曲面であって、かつ中心軸に対する断面が円状となるように形成され、入射端に入射された光が側面の内表面で全反射し、出射端で中心軸から遠ざかる方向に屈折して出射されるように形成されているレンズと、このレンズの入射端側に配設された発光ダイオードで構成されたＬＥＤ照明器具およびＬＥＤ非常灯が提案されている。この従来技術は、鉛直方向に対するバットウイング状の配光が得られ、器具の直下および周囲の照度を確保することが可能となるというものである。
【０００４】
一方、天井に直付けまたは埋め込まれるダウンライト形の照明器具や非常灯においては、一般に、器具直下から所定の範囲の床面に対して一定値以上の照度（明るさ）が求められている。このためには、器具が広角な配光特性を有する必要がある。特に、非常灯においては、１１ｘ（ルクス）以上の明るさで、広角的な配光が求められている。
【特許文献１】特開２００７−２３４４０３号公報
【特許文献２】特開２００５−１２９５１７号公報
【発明の開示】
【発明が解決しようとする課題】
【０００５】
特許文献１のＬＥＤ照明器具および非常灯は、比較的広角の配光を得るための第１および第２のレンズと、比較的狭角の配光を得るための第３のレンズの組み合わせにより、照明される領域を広くし、照明領域を略一定の明るさにできるが、基本的に照射パターンは円形に近いものであり、廊下や通路など長手方向にだけに光が必要な場合には、短手方向の光が余り無駄となっている。このため、長手方向の明るさが不足し、器具の配置間隔をさらに広くするには限界があり設置台数のさらなる削減は困難な状況となっている。また、光を制御するためのレンズ体として、比較的広角の配光を得るための第１および第２のレンズと、比較的狭角の配光を得るための第３のレンズの２種類のレンズが必要となり器具のコストアップ要因にもなる。
【０００６】
また、特許文献２のＬＥＤ照明器具および非常灯は、鉛直方向に対するバットウイング状の配光が得られ、器具の直下および周囲の照度を確保することが可能となるが、特許文献１と同様に基本的に照射パターンは円形に近いものであり、廊下や通路など長手方向にだけに光が必要な場合には、短手方向の光が余り無駄となっている。特に直下および周囲の照度を確保するものであり、一層長手方向の明るさが不足し、設置台数のさらなる削減はより一層困難な状況となる。また、レンズ体は入射端が凹面、出射端が略平面、側面の中間部が太い形状の曲面であって、かつ中心軸に対する断面が円状となるように形成される特殊な構成のものが必要となり加工が困難でコストアップ要因になる。
【０００７】
本発明は、長手方向に沿い所定の明るさを確保し易い配光を有する照明器具および非常灯を提供することを目的とする。
【課題を解決するための手段】
【０００８】
請求項１に記載の照明器具の発明は、半導体発光素子と、入射面および出射面を有し、入射面に入射する半導体発光素子の放射光を、光軸方向に沿う主配光と主配光とは異なる方向に光度ピークを有する補助配光とに分離した状態で出射面から出射されるように形成されるレンズ体からなる光源部と；前記光源部と、光源部の補助配光が主配光に重畳するように反射させ主配光を光軸方向に延長させる反射体からなる第１発光部と；前記光源部と、光源部の補助配光の一部を他方の補助配光側に反射させる反射体からなる第２発光部と；開口部を有し、この開口部に第１発光部および第２発光部を略直線状に配置し、照射面の長手方向に対して少なくとも第１発光部の主配光が第２発光部の主配光よりも外側に位置するように配設した器具本体と；前記半導体発光素子を点灯させる点灯装置と；を具備することを特徴とする。
【０００９】
本発明の照明器具は、光源部の補助配光が主配光に重畳するように反射させ主配光を光軸方向に延長させる反射体からなる第１発光部と、光源部の補助配光の一部を他方の補助配光側に反射させる反射体からなる第２発光部と、開口部を有し、この開口部に第１発光部および第２発光部を略直線状に配置し、照射面の長手方向に対して少なくとも第１発光部の主配光が第２発光部の主配光よりも外側に位置するように配設した器具本体により、長手方向に沿い所定の明るさを確保し易くなる。
【００１０】
本発明において、照明器具は、廊下や通路など長手方向に所定の明るさを必要とする場所に設置される照明器具が好適であるが、これらに限らず、広い店舗などで長手方向に所定の明るさが必要な場所に設置されるなど全ての照明器具に適用される。またダウンライト等、埋込形の照明器具であっても、直付け形や天吊り形等、他の設置手段で設置される照明器具であってもよい。
【００１１】
半導体発光素子は、発光ダイオードや半導体レーザーなど、半導体を発光源とした発光素子が許容される。また半導体発光素子は、１個の半導体発光素子を基板に配設して構成しても、複数個の半導体発光素子を直線または曲線等をなして配設し線モジュールとして構成しても、半導体発光素子をマトリックス状に配設して矩形状をなすように構成しても、さらには、複数個の半導体発光素子により点モジュールを構成するように円板状に構成してもよく、個数および配設される形状等は特定のものに限定されない。
【００１２】
レンズ体は、入射面に入射する半導体発光素子の放射光を、光軸方向に沿う主配光と主配光とは異なる方向に光度ピークを有する補助配光とに分離した状態で出射面から出射されるように形成される光制御体で、透明なガラスまたはアクリル等の合成樹脂で形成されていてもよい。
【００１３】
第１発光部と第２発光部の光源部は、例えば、それぞれ２個の光源部により構成し、器具の両側からそれぞれの長手方向に沿う所定の配光を得られるようにすることが好ましいが、それぞれ１個の光源部により器具の片側のみから一方の長手方向に沿う所定の配光を得るようにしてもよい。また、第１発光部と第２発光部を構成する光源部は同様の性能、配光特性等を有する共通の部品からなる半導体発光素子およびレンズ体で構成されていても、それぞれが必要とする格別の性能、配光特性等を有する別個の部品で構成されていてもよい。
【００１４】
第１発光部の反射体は、光源部の補助配光が主配光に重畳するように反射させ主配光を光軸方向に延長させるための光制御体であり、また、第２発光部の反射体は、光源部の補助配光の一部を他方の補助配光側に反射させる光制御体で、第１、第２発光部のそれぞれの反射体は、ＰＢＴ（ポリブチレンテレフタレート）等の白色の合成樹脂で構成してもアルミニウムやステンレス等の金属で構成してもよい。さらに上記合成樹脂や金属に鏡面または半鏡面加工等を施して形成したものであってもよい。反射体は、光源部を支持する支持体と一体に形成されても、または支持体とは別体に構成されていてもよい。また、第１、第２発光部のそれぞれの反射体は同一の材料で構成されていても別の材料で構成されていてもよく、さらに、それぞれの反射体が一体に構成されていても、別体に構成されていてもよい。
【００１５】
請求項２に記載の発明は、請求項１記載の照明器具において、前記第２発光部は、器具本体の開口部の略中央部に鉛直線を中心にして左右に所定の角度を有して配置し、第１発光部は、第２発光部の両側に対して器具本体の開口部の外側に配置し、かつ鉛直線に対し左右に所定の角度を有して配置したことを特徴とする。
【００１６】
本発明において、第１、第２発光部が配置される所定の角度は、第１発光部の角度を広くし、第２発光部の角度を狭くして、照射面の長手方向に沿い所定の明るさを確保し易い配光を得るようにすることが好ましいが、両者の角度を同一にしても、または逆に第１発光部の角度を狭くし、第２発光部の角度を広くしてもよい。
【００１７】
請求項３に記載の発明は、請求項１または２記載の照明器具において、前記開口部の開口面に沿って透過性カバーを有し、前記透過性カバーと、前記第１、第２発光部の光軸とが３０°〜９０°の角度を有して配置したことを特徴とする。
【００１８】
請求項４に記載の非常灯の発明は、請求項１ないし３いずれか一記載の照明器具と；器具本体に収容されたバッテリと；停電時に、バッテリからの直流電圧が入力されて半導体発光素子を点灯させる非常用点灯装置と；を具備することを特徴とする。
【００１９】
本発明の非常灯は、停電時に、非常用点灯装置により半導体発光素子が点灯され、長手方向に所定の明るさを確保し易くなる。
【００２０】
本発明において、非常灯は、廊下や通路など長手方向に所定の明るさを必要とする場所に設置される非常灯であることが好ましいが、設置場所は特に限定されない。また設置する手段は、埋込形であっても、直付け形であってもよい。
【発明の効果】
【００２１】
請求項１記載の発明によれば、光源部の補助配光が主配光に重畳するように反射させ主配光を光軸方向に延長させる反射体からなる第１発光部と、光源部の補助配光の一部を他方の補助配光側に反射させる反射体からなる第２発光部と、開口部を有し、この開口部に第１発光部および第２発光部を略直線状に配置し、照射面の長手方向に対して少なくとも第１発光部の主配光が第２発光部の主配光よりも外側に位置するように配設した器具本体により、長手方向に所定の明るさを確保し易い配光を有する照明器具を提供することができる。
【００２２】
請求項２記載の発明によれば、第２発光部は、器具本体の開口部の略中央部に鉛直線を中心にして左右に所定の角度を有して配置し、第１発光部は、第２発光部の両側に対して器具本体の開口部の外側に配置し、かつ鉛直線に対し左右に所定の角度を有して配置したことにより、器具の両側からそれぞれの長手方向に沿い所定の明るさを確保し易い配光を有する照明器具を提供することができる。
【００２３】
請求項３記載の発明によれば、開口部の開口面に沿って透過性カバーを有し、透過性カバーと、第１、第２発光部の光軸とが３０°〜９０°の角度を有して配置したことにより、透過性カバー内面での反射を最小限にとどめ、高効率な照明器具を提供することができる。
【００２４】
請求項４記載の発明によれば、停電時に、非常用点灯装置により半導体発光素子が点灯され、長手方向に所定の明るさを確保し易い配光を有する非常灯を提供することができる。
【発明を実施するための最良の形態】
【００２５】
以下、本発明に係る照明器具および非常灯の実施形態について説明する。
【実施例１】
【００２６】
本実施例は、廊下や通路の天井に設置される非常灯を構成したもので、図１に示すように、非常灯１０は、半導体発光素子１１とレンズ体１２からなる光源部１３、光源部１３と反射体１４からなる第１発光部１５、光源部１３と反射体１６からなる第２発光部１７、第１発光部および第２発光部を配設した器具本体１８、器具本体に収容されたバッテリ１９、停電時に、バッテリからの直流電圧が入力されて半導体発光素子を点灯させる非常用の点灯装置２０で構成する。
【００２７】
半導体発光素子１１は、発光ダイオード（以下「ＬＥＤ」と称す）で構成し、ＬＥＤ１１は、本実施形態では青色ＬＥＤチップとこの青色ＬＥＤチップにより励起される黄色蛍光体により白色を発光する高輝度、高出力のＬＥＤからなり、このＬＥＤ１１は、一方向、すなわちＬＥＤの光軸ｏ−ｏ方向に光線が主として放射される。また、ＬＥＤ１１は矩形状をなす回路基板からなる基板１１ａ上に実装されて支持されている。ここで光軸ｏ−ｏは、ＬＥＤ１１が実装される基板１１ａの面に対して略鉛直方向のことである。
【００２８】
レンズ体１２は、例えば、強化ガラスからなり、図４（ａ）に示すように入射面１２ａと出射面１２ｂを有する皿状をなす凸レンズで構成され、入射面の中央部に凹部１２ｃが形成され、出射面が略半球状をなすように形成されている。レンズ体１２は図４に示すように、入射面である凹部１２ｃにＬＥＤ１１を収納する。この際、ＬＥＤ１１の光軸ｏ−ｏと、レンズ体１２の光軸ｘ−ｘが略一致するように配設されて収納され、両端に形成された支持部１２ｄを基板１１ａにネジ等の固定手段で固着される。これにより、ＬＥＤ１１とレンズ体１２からなる光源部１３が構成される。
【００２９】
光源部１３は、ＬＥＤ１１を点灯するとレンズ体１２により、図８に示すような配光特性をもって出射面１２ｂから光を出射する。すなわち、出射面１２ｂから出射されるＬＥＤ１１の放射光により光軸ｏ−ｏ方向に沿う主配光Ａと、主配光とは異なる方向に光度ピークを有する主配光Ａの出射端から両側斜め方向に沿う補助配光Ｂ、Ｂとに分離した状態で出射面１２ｂから出射される。
【００３０】
第１発光部１５は、上記のようにＬＥＤ１１とレンズ体１２で構成され上記の配光特性を有する左右２個の光源部１３と、２個の光源部にそれぞれ対応して配設される左右２個の反射体１４とで構成する。２個の反射体１４は、略回転放物面をなす反射面１４ａを有するラッパ状の反射体を、反射体の光軸ｙ−ｙを境にして半分に切断した形状をなして構成する。
【００３１】
第１発光部１５は、ＬＥＤ１１を点灯すると反射体１４により、図９に示すような配光特性をもって出射面１２ｂから光を出射する。
【００３２】
すなわち、図８に示す光源部１３の両側の補助配光Ｂ、Ｂが主配光Ａに重畳するように反射させ、主配光を光軸ｏ−ｏ方向に延長させる配光Ｃが得られる（図９）。
【００３３】
第２発光部１７は、上記のようにＬＥＤ１１とレンズ体１２で構成され上記の配光特性を有する左右２個の光源部１３と、２個の光源部にそれぞれ対応して配設される左右２個の反射体１６とで構成する。２個の反射体１６は、反射面１６ａの断面形状が緩やかな円弧状をなす略平板状の反射板で構成する。
【００３４】
第２発光部１７は、ＬＥＤ１１を点灯すると反射体１６により、図１０に示すような配光特性をもって出射面１２ｂから光を出射する。
【００３５】
すなわち、図８に示す光源部１３の補助配光Ｂの一部を他方の補助配光Ｂ側に反射させ、主配光Ａと補助配光Ｂとの間をさらに補う配光Ｄが得られる（図１０）。
【００３６】
なお、第１発光部１５と第２発光部１７を構成する光源部１３は同様の性能、配光特性等を有する共通の部品からなるＬＥＤ１１およびレンズ体１２で構成される。
【００３７】
上記に構成された第１発光部１５および第２発光部１７は、支持体２１に次のようにして配設される。すなわち、支持体は細長い箱状をなし、その両側に、斜め上方に向かい傾斜した支持部２１ａ、２１ａを一体に形成し、この支持部にそれぞれ第１発光部１５の光源部１３の基板１１ａを嵌合し接着して支持する。さらに第１発光部１５の２個の反射体１４は、それぞれの支持部２１ａの上方に回転放物面の光軸ｙ−ｙとＬＥＤ１１の光軸ｏ−ｏとが略一致するように反射面１４ａが上方から被さるように位置させて一体に形成する（図７）。
【００３８】
支持体２１の底面の略中央部に、その両側に、斜め上方に向かい傾斜した支持部２１ｂ、２１ｂを一体に形成し、この支持部にそれぞれ第２発光部１７の光源部１３の基板１１ａを嵌合し接着して支持する。さらに第２発光部１７の２個の反射体１６は、支持部２１ｂの上方に円弧状の反射面１６ａがＬＥＤ１１の光軸ｏ−ｏと略直交する方向に位置させて一体に形成する（図７）。
【００３９】
なお、図中２２は断面が半円形の円弧をなす補助反射体で、第２発光部１７の２個の光源部１３および２個の反射体１６を、側面方向から覆うように位置させて支持体２１に一体に形成されている。
【００４０】
また、第１発光部１５および第２発光部１７は、その中心線（ＬＥＤ１１の光軸ｏ−ｏ、レンズ体１２の光軸ｘ−ｘ、反射体１４、１６の光軸ｙ−ｙ）が支持体２１の中心線ｚ−ｚ上に位置させ、各発光部が略直線状に配置される（図５）。
【００４１】
また、支持体２１は、ＰＥＴ等の合成樹脂で一体に成形され、第１、第２発光部１５、１７の支持部２１ａ、２１ｂと各反射体１４、１６および補助反射体２２が一体に形成され、各反射体の反射面１４ａ、１６ａはアルミ蒸着等の手段で鏡面加工することにより構成される。
【００４２】
上記に構成された第１発光部１５および第２発光部１７を収容し配設するための器具本体１８は、長手方向の両側面および短手方向の両側面が互いに下方に向かって傾斜し、断面が略台形をなす箱状のカバー部材をなして形成され、底面および短手方向の両側面に開口部が形成されている。底面の開口部２３ａは、第２発光部１７の反射体１６および光源部１３に対向させた底面の略中央部分が開放する長方形状の開口を形成し、両側面の開口部２３ｂは、第１発光部１５の反射体１４および光源部１３に対向させた略半円形状の開口を形成する。開口部２３ａおよび両側面の開口部２３ｂの開口面に沿って、透明または半透明のガラスや合成樹脂等からなる透光性を有する透過性カバー２３ｃ、２３ｄ、２３ｄが嵌め込まれている。
【００４３】
器具本体１８内には、第１発光部１５および第２発光部１７を支持した支持体２１を、支持体の中心線ｚ−ｚが器具本体１８の長手方向の中心線ｐ−ｐ上に位置し、さらに第１発光部１５および第２発光部１７が各開口部２３ａ、２３ｂに面するように位置させて支持体２１を収納し、取付部材２４を介して器具本体内に支持する（図３、図５）。
【００４４】
これにより、第２発光部１７の光源部１３は、器具本体１８の底面の開口部２３ａの略中央部に面し、かつ各ＬＥＤ１１の光軸ｏ−ｏ（レンズ体１２の光軸ｘ−ｘ）が鉛直線ｖ−ｖを中心にして左右に、本実施例では約５０°の角度Ｒ１を有して配置される。
【００４５】
また、第１発光部１５の光源部１３は、第２発光部１７の両側に第２発光部と略直線状をなし、第２光源部１７に対して器具本体の開口部２３ａの外側に配置され、半円形の開口部２３ｂに面し、かつ鉛直線ｖ−ｖに対し各ＬＥＤ１１の光軸ｏ−ｏ（レンズ体１２の光軸ｘ−ｘ）が左右に、本実施例では約７０°の角度Ｒ２を有して配置され収容される。
【００４６】
さらに、透過性カバー２３ｃ、２３ｄ、２３ｄと、前記第１、第２発光部の光軸ｏ−ｏとが３０°〜９０°の角度を有して配置されている。本実施例では、透過性カバー２３ｃと、前記第２発光部１７の光軸ｏ−ｏとが約４０°の角度Ｒ３に配置され、透過性カバー２３ｄ、２３ｄと、前記第１発光部１５の光軸ｏ−ｏとが約９０°の角度Ｒ４に配置されており、透過性カバーの内面反射ロスを必要最小限に抑えている。
【００４７】
バッテリ１９および停電時にバッテリからの直流電圧が入力されて各ＬＥＤ１１を点灯させる点灯装置２０は、器具本体１８の上面板２５の下面に支持され、上面板で器具本体上面の開口部を覆い塞ぐことで器具本体内の上部のスペースに設置され収容される。図中２６は、端子台である。
【００４８】
なお、器具本体１８、および上面板２５は、鉄板やアルミニウム等の金属で構成され、スポット溶接等の手段、若しくはアルミダイカストで箱状に組み立てられる。
【００４９】
非常用の点灯装置２０は、図１２に示すように、点灯ユニット３０内に設けられている。点灯ユニットは、さらに充電回路３１、切換回路３２が設けられ、点検スイッチ３３および充電用モニター３４が配設されている。そして、充電回路３１に接続されている電源線３５、３５が導出され、この電源線は電源端子３６、３６を介して商用交流電源Ｖｓに接続されている。また、充電回路３１または点灯装置２０と電気的に接続されるリード線３７、３７が導出され、このリード線は、コネクタ３８およびヒューズＦ１を介してバッテリ１９に接続されている。さらに、点灯装置２０に接続されているランプ線３９、３９が導出されており、このランブ線は、第１発光部１５および第２発光部１７の各ＬＥＤ１１に接続されている。
【００５０】
充電回路３１は、バッテリ１９を充電するように構成されている。そして、バッテリが充電状態になると、充電用モニター３４が点灯する。切換回路３２は、停電時に、バッテリ１９と点灯装置２０が接続されるようにして、バッテリ電圧が点灯装置２０に人力されるように構成されている。また、点検スイッチ３３の引き紐４０を引っ張ると、点検スイッチ３３がバッテリ１９と点灯装置２０を接続するようにしている。これにより、停電時に、各ＬＥＤ１１が点灯することの確認がなされる。
【００５１】
上記に構成された非常灯１０は、図３に示すように、廊下や通路等の天井面Ｔに沿って所定の間隔を有して複数台が直付けされ配線されて設置される。
【００５２】
器具本体１８は、その長手方向、すなわち第１発光部１５と第２発光部１７を支持した支持体２１の中心線ｚ−ｚが、廊下や通路の長手方向の中心線上に位置するように設置する。これにより第１発光部１５と第２発光部１７の光源部１３が下方、すなわち床面に面し、かつ光源部１３の各光軸が廊下や通路の長手方向に略一致した状態で設置される。さらに引き紐４０が下方に引き出され、モニター３４が下面に臨んだ状態になる。
【００５３】
次に上記に構成され設置された非常灯１０の作用につき説明する。停電状態になると、非常用の点等装置２０にバッテリ１９から直流電圧が入力され、第１発光部１５および第２発光部１７の各ＬＥＤ１１が点灯される。
【００５４】
第１発光部１５の各ＬＥＤ１１を点灯すると、それぞれのレンズ体１２の入射面１２ａにＬＥＤ１１からの放射光が入射される。そして、ＬＥＤ１１からの放射光は、凸レンズをなす出射面１２ｂから放射されて、それぞれ器具本体１８の側面の開口部２３ｂに設けられた透過性カバー２３ｄを通過して出射される。そして、開口部２３ｂから出射された光は、それぞれ図８に示す長手方向に伸び主配光Ａを形づくる。同時に残部の一部が出射面１２ｂで屈折され主配光とは異なる方向に光度ピークを有する主配光Ａの出射端から両側斜め方向に沿う補助配光Ｂ、Ｂとに分離した状態で出射面１２ｂから出射される補助配光Ｂを形成する。
【００５５】
これら主配光Ａと補助配光Ｂ、Ｂを形成する光の略上半分の光束が反射体１４で反射され、補助配光Ｂ、Ｂが主配光Ａ側に重畳するように反射させて主配光を光軸方向に延長させる。これにより、図９に示すような主配光を光軸方向に延長させる配光Ｃが得られる。この配光Ｃを形成する光は、ＬＥＤ１１の光軸ｏ−ｏ（レンズ体１２の光軸ｘ−ｘ）が鉛直線に対し約７０°の角度Ｒ２を有して下向きに配置されているので、器具本体１８の両側から遠ざかっている床面が照明される。すなわち、器具本体１８の両側に配設された第１発光部１５から左右方向に略同様の配光Ｃを持って放射される。換言すれば、設置した器具の両側、すなわち、廊下や通路の奥側と手前側の長手方向に沿って略同様の配光Ｃを持って放射される。
【００５６】
同時に第２発光部１７の各ＬＥＤ１１が点灯すると、第１発光部１５と同様に、それぞれのレンズ体１２の入射面１２ａにＬＥＤ１１からの放射光が入射される。そして、ＬＥＤ１１からの放射光は、凸レンズをなす出射面１２ｂから放射されて、それぞれ器具本体１８の底面の開口部２３ａに設けられた透過性カバー２３ｃを通過して出射される。そして、開口部２３ａから出射された光は、それぞれ図８に示す長手方向に伸び主配光Ａを形成する。同時に残部の一部が出射面１２ｂで屈折され主配光とは異なる方向に光度ピークを有する主配光Ａの出射端から両側斜め方向に沿う補助配光Ｂ、Ｂとに分離した状態で出射面１２ｂから出射される補助配光Ｂを形成する。
【００５７】
なお、第１、第２発光部１５、１７の光源部１３を構成するＬＥＤ１１およびレンズ体１２は、同様の性能、特性等を有する共通の部品からなっており、図８に示すような略同様の配光を形成する。
【００５８】
これら主配光Ａと補助配光Ｂを形成する光の略上半分の光束が反射体１６で反射され、補助配光Ｂの一方を他方の補助配光Ｂ側に反射させ主配光Ａを光軸方向と略直交する方向に延長させる。これにより、図１０に示すような補助配光Ｂの一部を他方の補助配光Ｂ側に反射させ主配光Ａと補助配光Ｂとの間をさらに補う配光Ｄが得られる。この配光Ｄを含む光は、ＬＥＤ１１の光軸ｏ−ｏ（レンズ体１２の光軸ｘ−ｘ）が鉛直線に対し約５０°の角度Ｒ１を有して下向きに配置されているので、器具本体１８の底面から器具直下周辺部の床面が照明され、直下の照度（明るさ）が確保される。すなわち、器具本体１８の略中央部に配設された第２発光部１７から左右方向に略同様の配光Ｄを含む光を持って放射される。換言すれば、設置した器具の略直下において両側、すなわち、廊下や通路の奥側と手前側に略同様の配光Ｄを含む光を持って放射される。
【００５９】
同時に第１、第２発光部の２個の光源部１３および第１、第２発光部の２個の反射体１６を側面方向から覆う補助反射体２２により、側方に漏れた補助配光Ｂの一部の光も反射させて配光Ｄをより一層確実に作り出す。
【００６０】
さらに、同時に上記配光Ｃ、および配光Ｄを含む光を放射する第１、第２発光部１５、１７の両者の配光が組み合わされて、廊下や通路の床面には、図１１に示すような照度分布が得られる。すなわち、図１１に示す照度分布図は、本実施例の非常灯１０を約１５ｍ間隔で設置したものであり、通路幅約６ｍの通路の約２ｍの範囲において、器具の設置場所に近い部分に６ｌｘ〜２ｌｘの明るい部分が分布し、さらに長手方向に向かう器具設置間の略中央部分（最も光が不足する位置）にも４ｌｘ〜２ｌｘの明るい部分が分布する。これにより、器具の両側から廊下や通路のそれぞれの長手方向に沿う照明領域の床面が非常灯として必要な１１ｘ以上の明るさで、十分でかつ確実に所定の明るさを確保することができる。
【００６１】
この結果、従来品では通常約１０ｍ間隔で設置されている器具の設置間隔を約１５ｍにすることが可能となり、非常灯の設置台数を少なくすることができる。
【００６２】
以上、本実施例の非常灯１０によれば、第１発光部１５において、光源部１３で形成される補助配光Ｂ、Ｂが反射体１４で主配光Ａに重畳するように反射させて主配光を光軸方向に延長させた配光Ｃを形成し、器具本体１８の両側から遠ざかっている床面が照明される配光特性を構成し、第２発光部１７において、光源部１３で形成される補助配光Ｂの一部を反射体１６により他方の補助配光Ｂ側に反射させ、主配光Ａと補助配光Ｂとの間をさらに補う配光Ｄを形成し、器具本体１８の底面から器具直下周辺部の床面が照明される配光特性を構成し、これら、第１、第２の発光部１５、１７で構成された配光Ｃおよび配光Ｄを含む光を組み合わせることにより、器具本体１８の両側から遠ざかっている床面に第１の光度ピークを、また器具直下周辺部の床面に第２の光度ピークを、それぞれ形成したので、器具の両側から廊下や通路のそれぞれの長手方向に沿う照明領域の床面が十分で、かつ確実に所定の明るさを確保することができる。
【００６３】
また、第１発光部１５の光源部１３を構成する各ＬＥＤ１１の光軸ｏ−ｏ（レンズ体１２の光軸ｘ−ｘ）が鉛直線ｖ−ｖに対し約７０°の角度Ｒ２を有して下向きに配置されているので、器具本体１８の両側から遠ざかっている床面に第１の光度ピークを確実の構成することができる。また第２発光部１７の光源部１３を構成する各ＬＥＤ１１の光軸ｏ−ｏ（レンズ体１２の光軸ｘ−ｘ）が鉛直線ｖ−ｖに対し約５０°の角度Ｒ１を有して下向きに配置されているので、器具直下周辺部の床面に第２の光度ピークを確実に構成することができる。同時に補助反射体２２により、側方に漏れた補助配光Ｂの一部の光も反射させて、より一層確実に第２の光度ピークを構成する。これら所定の角度で下向きに配置された第１、第２発光部１５、１７を組み合わせることにより、器具の両側から廊下や通路のそれぞれの長手方向に沿う照明領域の床面がより十分で、かつより一層確実に所定の明るさを確保することができる。
【００６４】
これらにより、非常灯の設置間隔を大幅に広くすることができ、非常灯の設置台数を少なくすることが可能となって設置費用の大幅な削減が可能となり、商品競争力に優れた非常灯を提供することができる。
【００６５】
第１、第２発光部１５、１７の光源部１３を構成する各ＬＥＤ１１およびレンズ体１２は、同様の性能、特性等を有する共通の部品で構成したので、各発光部における光学特性にバラツキがなく性能のよい非常灯を構成することができる。また、ＬＥＤ１１、レンズ体１２および反射体１４、１６で構成される光学部品は、支持体２１に一体に組み込み、または一体に成形して構成したので、光学系に狂いが生じ難くなり一層高性能の非常灯を提供することができる。
【００６６】
また、比較的高価な電子部品であるＬＥＤ１１やレンズ体１２を共通の部品とし、合成樹脂で支持体２１に一体に構成することが可能な比較的安価な反射体１４、１６により、光制御を行うようにしたので、コスト的に有利な非常灯を提供することができる。
【００６７】
また、第１、第２発光部１５、１７の光源部１３を、上記のように各ＬＥＤ１１の光軸ｏ−ｏ（レンズ体１２の光軸ｘ−ｘ）が鉛直線に対しそれぞれ約７０°と約５０°の角度Ｒ１、Ｒ２を有して下向きに配置し、かつ、透過性カバーと第１、第２発光部１５、１７の光軸ｏ−ｏとが３０°〜９０°の角度を有して配置されているので、器具本体１８の開口部２３ａ、２３ｂにおける透過性カバー２３ｃ、２３ｄの内面反射ロスを必要最小限に抑えることが可能となり、高効率な非常灯を提供することができる。
【００６８】
以上、本実施例の照明装置において、第１、第２発光部１５、１７を支持する支持体２１は合成樹脂で構成したが、アルミダイカスト等の金属で構成してもよい。この場合ＬＥＤ１１が実装される回路基板１１ａは別途の電気絶縁性を有する基盤を介して支持体２１に支持し電気絶縁性を図る。これによれば、ＬＥＤ１１から発生する熱は、効率的にアルミニウムからなる支持体２１に伝達され外気中に放熱することができる。また第１、第２発光部１５、１７の反射体１４、１６は、一体に形成されしかも格別な鏡面加工を施すことなく構成することができる。
【００６９】
器具本体１８は鉄板等の金属で構成したが、不燃性の合成樹脂で一体に箱状に構成してもよい。また器具本体１８を円筒状に構成して天井埋込形の非常灯を構成してもよい。
【００７０】
第１、第２発光部１５、１７を器具本体１８の両側に、それぞれ一対配設して構成し、器具の両側を長手方向に沿って照明するように構成したが、片側に第１発光部を１個、第２発光部を１個それぞれ配設し、片側の長手方向に沿って照明する非常灯を構成し、直下に壁面を有し片側のみを照明する環境に好適な非常灯として使用する。
【実施例２】
【００７１】
本実施例は、廊下や通路の天井に設置される照明器具を構成したもので、図１３に従いその構成を説明する。
【００７２】
なお、図１３には、実施例１における図１〜図１２と同一部分に同一の符号を付してその詳細な説明は省略する。
【００７３】
本実施例の照明器具は、図１３に示すように、実施例１の非常灯１０において、バッテリ１９および点灯ユニット３０が取り除かれ、代わって点灯装置５０が配設された天井直付け形の照明器具６０である。
【００７４】
点灯装置５０は、商用電源Ｖｓに接続され交流電圧を直流電圧に変換すると共に、電圧調整を行って各ＬＥＤ１１を点灯させる。
【００７５】
第１、第２発光部１５、１７の光源部１３における各ＬＥＤ１１は、照明器具としての所定の明るさを得るために、図１３（ｂ）（ｃ）に示すように、複数個、本実施例では３個のＬＥＤ１１により点モジュールを形成するように円板状の基板に実装して構成し、この点モジュールに適合した寸法、形状のレンズ体１２の入射面１２ａに組み込んで光源体１３を構成し、第１、第２発光部１５、１７の共通の光源部として使用する。
【００７６】
本実施例の照明器具は、第１、第２発光部１５、１７の各ＬＥＤ１１の点灯により、器具本体１８の両側から遠ざかっている床面に第１の光度ピークが、また器具直下周辺部の床面に第２の光度ピークがそれぞれ形成され、器具の両側から廊下や通路のそれぞれの長手方向に沿う照明領域の床面が十分な所定の明るさをもって照明することができる。
【００７７】
本実施例の照明器具においても、天井埋め込み形のダウンライトを構成するようにしてもよい。その他、本実施例における他の構成、作動、作用効果、変形例等は、実施例１と同様である。
【００７８】
以上、本発明の好適な実施形態を説明したが、本発明は上述の各実施例に限定されることなく、本発明の要旨を逸脱しない範囲内において、種々の設計変更を行うことができる。
【図面の簡単な説明】
【００７９】
【図１】本発明の第一の実施形態に係る非常灯を示し、器具本体のカバー部材を外した状態を示す斜視図。
【図２】同じく非常灯を示す斜視図。
【図３】同じく非常灯を示す図５Ａ−Ａ線に沿う断面図。
【図４】同じく非常灯を示し、（ａ）は光源部を拡大して示す断面図、（ｂ）は第１発光部の光源部を示す正面図、（ｃ）は第２発光部の光源部を示す正面図。
【図５】同じく非常灯を示す下面図。
【図６】同じく非常灯を示す側面図。
【図７】同じく非常灯の第１、第２発光部の光源部を下面側からから見た斜視図。
【図８】同じく非常灯の光源部の配光特性図。
【図９】同じく非常灯の第１発光部の配光特性図。
【図１０】同じく非常灯の第２発光部の配光特性図。
【図１１】同じく非常灯を通路に設置し、点灯した状態における床面の照度分布図。
【図１２】同じく非常灯の内部配線図。
【図１３】本発明の第二の実施形態に係る照明器具を示し、（ａ）は図３に相当する照明器具の断面図、（ｂ）は第１発光部の光源部を示す正面図、（ｃ）は第２発光部の光源部を示す正面図。
【符号の説明】
【００８０】
１０  非常灯
１１  半導体発光素子
１２  レンズ体
１２ａ  入射面
１２ｂ  出射面
Ａ    主配光
Ｂ    補助配光
１３  光源部
１４  反射体
１５  第１発光部
１６  反射体
１７  第２発光部
１８  器具本体
１９  バッテリ
２０  点灯装置
２３ａ、２３ｂ  開口部
２３ｃ、２３ｄ  透過性カバー
６０  照明器具
【図１】
2009104913.tif 000003
【図２】
2009104913.tif 000004
【図３】
2009104913.tif 000005
【図４】
2009104913.tif 000006
【図５】
2009104913.tif 000007
【図６】
2009104913.tif 000008
【図７】
2009104913.tif 000009
【図８】
2009104913.tif 000010
【図９】
2009104913.tif 000011
【図１０】
2009104913.tif 000012
【図１１】
2009104913.tif 000013
【図１２】
2009104913.tif 000014
【図１３】
2009104913.tif 000015